(57)【要約】【課題】複数の特性を兼ね備えた架空送電線を実現する。【解決手段】架空送電線１Ａは、その外周に基準面２から盛り上がって素線に沿って延在する凸条３と、基準面２から窪んで素線に沿って延在する凹条４を有しているので、凸条３による低風音効果と凹条４による低風圧効果を得ることができる。また、架空送電線１Ａは、その外周に凸条３と凹条４の高低差に応じた段差を有し、凹凸の変化に富んだ表面形状を有しているので、その外周面に雪が着雪しにくくなっており、難着雪効果を得ることができる。  そして、この架空送電線１Ａは、低風音効果、低風圧効果、難着雪効果を有する、複数の特性を兼ね備えた電線になる。【選択図】図１
2011146232.tif 000002
【特許請求の範囲】
【請求項１】
複数の素線を撚り合わせてなる撚り線部と、
前記撚り線部の周囲に複数のセグメント型素線を撚り合わせてなるセグメント層と、
を備える架空送電線において、
前記セグメント層の外周面に、当該外周面の基準面と、前記基準面から盛り上がった凸条と、前記基準面から窪んだ凹条と、を有し、
前記凸条及び前記凹条は前記セグメント型素線に沿って延在していることを特徴とする架空送電線。
【請求項２】
前記凸条と前記凹条を、前記基準面を挟み交互に設けたことを特徴とする請求項１に記載の架空送電線。
【請求項３】
当該架空送電線の最外層に撚り合わした前記セグメント型素線の表面に、親水化処理を施したことを特徴とする請求項１又は２に記載の架空送電線。
【発明の詳細な説明】
【技術分野】
【０００１】
本発明は、架空送電線に関する。
【背景技術】
【０００２】
架空送電線には、種々の特性が要求されており、例えば、風切り音を低減する低風音電線が知られている（例えば、特許文献１参照。）。
この低風音電線１００は、図５に示すように、最外層に撚り合わせた断面略扇形のセグメント型素線を厚肉素線５１と薄肉素線５２とで構成し、厚肉素線５１がつくる大径段差表面５１ａと、薄肉素線５２がつくる小径段差表面５２ａとの間に、高低差ｈの段差を設けている。この段差が低風音電線１００の表面に当たる風の流路を乱すことによって、低風音効果が得られる。
【先行技術文献】
【特許文献】
【０００３】
【特許文献１】特開平３−１５１１０号公報
【発明の概要】
【発明が解決しようとする課題】
【０００４】
しかしながら、上記特許文献１の場合、低風音電線１００が十分な低風音効果を得るためには、段差の高低差ｈが少なくとも１．５ｍｍ必要である。そして、この段差が互いの反対面にあるため、低風音電線１００の外径が３．０ｍｍ太くなり受風面積が増すので、風圧荷重が増大してしまい低風圧効果は得られない。
また、この低風音電線１００では、外周面に設けた段差により表面形状に変化がついて着雪しにくくなっているが、この構造では十分な難着雪効果が得られないことがある。
【０００５】
本発明の課題は、複数の特性を兼ね備えた架空送電線を提供することである。
【課題を解決するための手段】
【０００６】
以上の課題を解決するため、本発明の態様は、
複数の素線を撚り合わせてなる撚り線部と、
前記撚り線部の周囲に複数のセグメント型素線を撚り合わせてなるセグメント層と、
を備える架空送電線において、
前記セグメント層の外周面に、当該外周面の基準面と、前記基準面から盛り上がった凸条と、前記基準面から窪んだ凹条と、を有し、
前記凸条及び前記凹条は前記セグメント型素線に沿って延在していることを特徴としている。
【０００７】
この架空送電線は、セグメント層の外周面の基準面から盛り上がってセグメント型素線に沿って延在する凸条と、基準面から窪んでセグメント型素線に沿って延在する凹条を有しているので、基準面から盛り上がった凸条による低風音効果と、基準面から窪んだ凹条による低風圧効果を得ることができる。
また、架空送電線は、凸条と凹条の高低差に応じた段差を有し、凹凸の変化に富んだ表面形状を有しているので、その外周面に雪が着雪しにくくなっており、難着雪効果を得ることができる。
つまり、この架空送電線は、低風音効果、低風圧効果、難着雪効果を有し、複数の特性を兼ね備える。
【０００８】
また、前記凸条と前記凹条は、前記基準面を挟み交互に設けることが好ましい。
【０００９】
この架空送電線は、基準面を挟んで交互に並び、セグメント型素線に沿って延在する凸条と凹条を有しているので、良好に低風音効果と低風圧効果を発揮することができる。
具体的に、凸条と凹条の間に配置した基準面が緩衝域となり、凸条による低風音効果と凹条による低風圧効果とが、互いの効果を打ち消し合い難くなるので、架空送電線は、低風音効果と低風圧効果を両方とも有効に発揮することができる。
【００１０】
また、当該架空送電線の最外層に撚り合わした前記セグメント型素線の表面に、親水化処理を施すことが好ましい。
【００１１】
この架空送電線は、最外層に撚り合わしたセグメント型素線の表面に親水化処理が施されたことにより、その電線の表面に親水性面を有するので、コロナ騒音の発生を抑えるコロナ騒音低減効果をさらに備える。
【発明の効果】
【００１２】
本発明によれば、架空送電線は、その外周に基準面から盛り上がってセグメント型素線に沿って延在する凸条と、基準面から窪んでセグメント型素線に沿って延在する凹条を有しているので、基準面から盛り上がった凸条による低風音効果と、基準面から窪んだ凹条による低風圧効果を得ることができる。また、架空送電線は、その外周に凸条と凹条の高低差に応じた段差を有し、凹凸の変化に富んだ表面形状を有しているので、その外周面に雪が着雪しにくくなっており、難着雪効果を得ることができる。
そして、この架空送電線は、低風音効果、低風圧効果、難着雪効果を有する、複数の特性を兼ね備えた電線になる。
【図面の簡単な説明】
【００１３】
【図１】本発明の実施形態１に係る架空送電線を示す断面図である。
【図２】実施形態１の架空送電線の変形例を示す断面図である。
【図３】実施形態１の架空送電線の変形例を示す断面図である。
【図４】本発明の実施形態２に係る架空送電線を示す断面図である。
【図５】従来の低風音電線を示す断面図である。
【発明を実施するための形態】
【００１４】
以下に、本発明を実施するための好ましい形態について図面を用いて説明する。但し、以下に述べる実施形態には、本発明を実施するために技術的に好ましい種々の限定が付されているが、本発明の範囲を以下の実施形態及び図示例に限定するものではない。
【００１５】
（実施形態１）
図１は、架空送電線１Ａを示す断面図である。
図１に示すように、架空送電線１Ａは、複数の素線を撚り合わして形成した電線である。
架空送電線１Ａは、例えば、複数（本実施形態では７本）の亜鉛めっき鋼素線１１を撚り合わせた撚り線部１０の外側に、複数（本実施形態では１２本）の内層セグメント型素線１２を撚り合わせ、更にその外側に複数（本実施形態では１８本）の外層セグメント型素線１３を撚り合わせてなる電線である。この内層セグメント型素線１２および外層セグメント型素線１３が、撚り線部１０の周囲に撚り合わされてセグメント層２０を形成している。
この架空送電線１Ａは、例えば、ＡＣＳＲ４１０ｍｍ２と通称される鋼心アルミ撚り線（ＡＣＳＲ；Aluminium Conductors Steel Reinforced）である。
【００１６】
亜鉛めっき鋼素線１１は、例えば、外径が３．５ｍｍで、断面円形状を呈する素線である。
内層セグメント型素線１２は、断面略扇形形状を有し、幅の狭い内面を電線中心側の亜鉛めっき鋼素線１１に向けて配している。
外層セグメント型素線１３は、断面略扇形形状を有し、幅の狭い内面を内層セグメント素線１２の外面に向けて配している。
【００１７】
この外層セグメント型素線１３は、幅の広い外面に凹凸を有している。
外層セグメント型素線１３は、その外面の略中央に断面略半円形状を呈して素線の長さ方向に沿う凸条３を備え、また外面の両端に断面略四分円形状を呈して素線の長さ方向に沿う切欠溝８を備えている。この凸条３と切欠溝８の間がセグメント層２０の外周面の基準面２になっている。基準面２は平面であっても、円弧状の曲面であってもよい。
そして、外層セグメント型素線１３の内面を内層セグメント型素線１２の外面に被着させ、外層セグメント型素線１３の側面同士を密着させるように撚り合わせることにより、隣接する外層セグメント型素線１３の切欠溝８が組み合わさり、一対の切欠溝８が断面略半円形状を呈する凹条４になる。
【００１８】
そして、架空送電線１Ａは、その最外層に外層セグメント型素線１３を撚り合わせてなるセグメント層２０の外周面に、電線の外径の基準となる基準面２と、その基準面２から盛り上がった凸条３と、その基準面２から窪んだ凹条４を備えている。
この凸条３及び凹条４は、外層セグメント型素線１３に沿って延在しており、凹条４は架空送電線１Ａの撚り目に相当している。また、架空送電線１Ａの外周面において、凸条３と凹条４は、基準面２を挟んで交互に並んでいる。
【００１９】
なお、低風音効果を得るために、基準面２から隆起した凸条３の高さは０．２ｍｍ以上であることが好ましいが、高過ぎる場合には低風圧効果が薄くなってしまうので、高さの上限を１．０ｍｍとすることが好ましい。
また、低風圧効果を得るために、基準面２から陥没した凹条４の深さは０．２ｍｍ以上であることが好ましいが、深過ぎる場合には低風音効果が薄くなってしまうので、深さの上限を１．０ｍｍとすることが好ましい。
これより本実施形態においては、最適な凸条３の高さは０．５ｍｍ、最適な凹条４の深さは０．５ｍｍとして、この寸法に凸条３と凹条４を形成している。
【００２０】
また、架空送電線１Ａにおけるセグメント層２０の外周面であって、最外層に撚り合わした外層セグメント型素線１３の表面には、所定の親水化処理を施している。
親水化処理は、例えば、サンドブラスト処理、アルマイト処理、ベーマイト処理、スチーム処理、アルカリ処理、オゾン処理、紫外線照射処理等、またそれらを組み合わせた複合処理であって、外層セグメント型素線１３の表面に親水性面を形成する処理である。
なお、親水化処理は、外層セグメント型素線１３を撚り合わした後に架空送電線１Ａのセグメント層２０の外周面に対して施してもよく、撚り合わす前の外層セグメント型素線１３に対して施してもよい。
このような親水化処理を架空送電線１Ａの最外層に施し、架空送電線１Ａの外周面に親水性を付与することによって、架空送電線１Ａから発生するコロナ騒音を低減することができる。
【００２１】
このように、架空送電線１Ａは、その外周面に基準面２を挟んで交互に並ぶ凸条３と凹条４を有しているので、基準面２から盛り上がった凸条３による低風音効果と、基準面２から窪んだ凹条４による低風圧効果を得ることができる。特に、凸条３と凹条４の高低差は１．０ｍｍあるものの、凸条３と凹条４の間に配置した基準面２が緩衝域となり、互いの効果を打ち消し合うことがないので、この架空送電線１Ａは、低風音効果と低風圧効果を両方とも有効に発揮することができる。
また、従来技術のような、大きくて高い凸条や広くて深い凹条に比べて、比較的小さい凸条３や凹条４を架空送電線１Ａの外周面に分散配置することにより、凸条３と凹条４が互いの効果を打ち消し難くなるので、架空送電線１Ａは良好な低風音効果と低風圧効果を兼備することができる。
【００２２】
また、架空送電線１Ａはその外周面の全周に亘って、基準面２を挟んで電線の周方向に交互に並ぶ凸条３と凹条４を備え、さらに凸条３と凹条４の高低差が１．０ｍｍであるように凹凸の変化に富んだ表面形状を有しているので、その外周面に雪が着雪しにくくなっており、難着雪効果を有効に発揮することができる。
また、架空送電線１Ａは、セグメント層２０の外周面に親水化処理が施されたことにより、その電線の表面に親水性面を有するので、コロナ騒音の発生を抑えるコロナ騒音低減効果を発揮することができる。
【００２３】
以上のように、架空送電線１Ａは、低風音効果、低風圧効果、難着雪効果、コロナ騒音低減効果を有するので、４つの特性を兼ね備える電線であるといえる。
【００２４】
なお、本発明は上記実施形態に限られるものではない。
例えば、図２に示すように、最外層に外層セグメント型素線１５を撚り合わせた架空送電線１Ｂであってもよい。
外層セグメント型素線１５は、その外面の略中央に断面略半円形状を呈して素線の長さ方向に沿う凹条４を備え、また外面の両端に断面略四分円形状を呈して素線の長さ方向に沿う突縁部６を備えている。この凹条４と突縁部６の間が電線の基準面２になっている。
この外層セグメント型素線１５の内面を内層セグメント型素線１２の外面に被着させ、外層セグメント型素線１５の側面同士を密着させるように撚り合わせることにより、隣接する外層セグメント型素線１５の突縁部６が組み合わさり、一対の突縁部６が断面略半円形状を呈する凸条３になる。
そして、架空送電線１Ｂは、その最外層に外層セグメント型素線１５を撚り合わせてなるセグメント層２０の外周面に、電線の外径の基準となる基準面２と、その基準面２から盛り上がった凸条３と、その基準面２から窪んだ凹条４を備えている。
このような架空送電線１Ｂであっても、低風音効果、低風圧効果、難着雪効果、コロナ騒音低減効果を有し、４つの特性を兼ね備える。
【００２５】
また、例えば、図３に示すように、最外層に外層セグメント型素線１７を撚り合わせた架空送電線１Ｃであってもよい。
外層セグメント型素線１７は、その外面に断面略半円形状を呈して素線の長さ方向に沿う凸条３を備え、また、その外面に断面略半円形状を呈して素線の長さ方向に沿う凹条４を備えている。この凸条３と凹条４の間と、外層セグメント型素線１７の外面の両端が電線の基準面２になっている。
この外層セグメント型素線１７の内面を内層セグメント型素線１２の外面に被着させ、外層セグメント型素線１７の側面同士を密着させるように撚り合わせることにより、隣接する外層セグメント型素線１７の基準面２が略面一に組み合わさる。
そして、架空送電線１Ｃは、その最外層に外層セグメント型素線１７を撚り合わせてなるセグメント層２０の外周面に、電線の外径の基準となる基準面２と、その基準面２から盛り上がった凸条３と、その基準面２から窪んだ凹条４を備えている。
このような架空送電線１Ｃであっても、低風音効果、低風圧効果、難着雪効果、コロナ騒音低減効果を有し、４つの特性を兼ね備える。
【００２６】
なお、架空送電線１Ａ、１Ｂ、１Ｃは、それぞれ最外層に配する外層セグメント型素線１３、１５、１７が同一形状であるので、その配列順を間違うことなく撚り合わせることができる。つまり、従来の低風音電線１００のように異なる形状のセグメント型素線（厚肉素線５１と薄肉素線５２）を撚り合わせる場合に比べて、容易に製造することができ、大量生産向きである。
【００２７】
（実施形態２）
次に、本発明に係る架空送電線の実施形態２について説明する。なお、実施形態１と同一部分には同一符号を付し、異なる部分について説明する。
【００２８】
図４は、架空送電線１Ｄを示す断面図である。
架空送電線１Ｄは、例えば、複数（本実施形態では７本）の亜鉛めっき鋼素線１１を撚り合わせた撚り線部１０の外側に、複数（本実施形態では１２本）の内層セグメント型素線１２を撚り合わせ、更にその外側に複数（本実施形態では２種類９本ずつ）の第１の外層セグメント型素線３０と第２の外層セグメント型素線４０を交互に撚り合わせてなる電線である。この内層セグメント型素線１２および外層セグメント型素線３０、４０が、撚り線部１０の周囲に撚り合わされてセグメント層２０を形成している。
【００２９】
第１の外層セグメント型素線３０は、第２の外層セグメント型素線４０よりも肉厚な素線であり、第１の外層セグメント型素線３０の外面は、第２の外層セグメント型素線４０の外面よりも外側に突出している。
第１の外層セグメント型素線３０の外面部は、第２の外層セグメント型素線４０の外面（基準面２）から盛り上がり、素線の長さ方向に沿う凸条３を成す。また、第１の外層セグメント型素線３０は、その外面の略中央に断面略半円形状を呈して素線の長さ方向に沿う溝部３ａを備えている。
第２の外層セグメント型素線４０は、電線（セグメント層２０）の基準面２となる外面を有し、その基準面２の略中央に断面略半円形状を呈して素線の長さ方向に沿う凹条４を備えている。
また、架空送電線１Ｄにおけるセグメント層２０の外周面であって、最外層に撚り合わした外層セグメント型素線３０、４０の表面には、所定の親水化処理を施している。
【００３０】
そして、架空送電線１Ｄは、その最外層に第１の外層セグメント型素線３０と第２の外層セグメント型素線４０を交互に撚り合わせてなるセグメント層２０の外周面に、電線の外径の基準となる基準面２と、その基準面２から盛り上がった凸条３と、その基準面２から窪んだ凹条４を備えている。この凸条３及び凹条４は、外層セグメント型素線３０、４０に沿って延在しており、凸条３と凹条４は基準面２を挟んで交互に並んでいる。
【００３１】
このように、架空送電線１Ｄは、その外周面に基準面２を挟んで交互に並ぶ凸条３と凹条４を有しているので、基準面２から盛り上がった凸条３による低風音効果と、基準面２から窪んだ凹条４による低風圧効果と、凸条３と凹条４による難着雪効果を得ることができる。また、架空送電線１Ｄは、セグメント層２０の外周面に親水化処理が施されたことによるコロナ騒音低減効果を得ることができる。
以上のように、架空送電線１Ｄも、低風音効果、低風圧効果、難着雪効果、コロナ騒音低減効果を有し、４つの特性を兼ね備えている。
【００３２】
なお、架空送電線１Ｄにおける外層セグメント型素線３０の外面に相当する凸条３は、凹条４に比べて大きいサイズを有しているが、その凸条３は溝部３ａによって分断されて見掛け上２つの小さな凸条になっている。そして、架空送電線１Ｄの外周面に比較的小さい凸条や凹条を分散配置したようになっており、架空送電線１Ｄは良好な低風音効果と低風圧効果を兼備することができる。
【００３３】
なお、以上の実施の形態においては、架空送電線を鋼心アルミ撚り線（ＡＣＳＲ）とした場合を例示したが、本発明はこれに限定されるものではなく、電線の種類は任意であり、例えば、鋼心耐熱アルミ合金撚り線（ＴＡＣＳＲ）などの耐熱電線、アルミ覆インバ心超耐熱アルミ合金撚り線（ＺＴＡＣＩＲ）などのインバ電線、ギャップ型鋼心超耐熱アルミ合金撚り線（ＧＺＴＡＣＳＲ）などのギャップ電線、硬銅撚り線（ＰＨ）など、各種電線に本発明を適用してもよい。
【００３４】
また、その他、具体的な細部構造等についても適宜に変更可能であることは勿論である。
【符号の説明】
【００３５】
１Ａ、１Ｂ、１Ｃ、１Ｄ  架空送電線
２      基準面
３      凸条
６      突縁部
４      凹条
８      切欠溝
１０    撚り線部
１１    亜鉛めっき鋼素線（素線）
１２    内層セグメント型素線（セグメント型素線）
１３、１５、１７  外層セグメント型素線（セグメント型素線）
２０    セグメント層
３０    第１の外層セグメント型素線（セグメント型素線）
３ａ    溝部
４０    第２の外層セグメント型素線（セグメント型素線）
【図１】
2011146232.tif 000003
【図２】
2011146232.tif 000004
【図３】
2011146232.tif 000005
【図４】
2011146232.tif 000006
【図５】
2011146232.tif 000007